(57)【特許請求の範囲】
【請求項１】
それぞれ２枚の内フラップと外フラップとを備え、２枚の前記外フラップの縁部が近接することによって開口部が閉じられる包装箱において、
前記各外フラップの縁部には凸部及び凹部が設けられ、一方の外フラップの凸部に対応して他方の外フラップの凹部が配置され、
包装状態において、対向する前記各外フラップの縁部の両端部は相互に離間しており、
前記両端部には、所定の掴み部が形成されており、
前記各外フラップが相互に離間している部分は前記内フラップによって封止されていることを特徴とする包装箱。
【請求項２】
前記外フラップの凸部及び凹部は、波形状の山部及び谷部によって形成されていることを特徴とする請求項１に記載の包装箱。
【請求項３】
前記外フラップの縁部における波形状は、高さの異なる山部及び谷部の組み合わせからなることを特徴とする請求項２に記載の包装箱。
【請求項４】
前記外フラップの凸部及び凹部は、円弧状に形成されていることを特徴とする請求項１に記載の包装箱。
【請求項５】
前記凸部は一方の外フラップに形成されると共に、前記凹部は他方の外フラップに形成されていることを特徴とする請求項４に記載の包装箱。
【請求項６】
前記掴み部の両側には所定の切欠きが形成されていることを特徴とする請求項１〜５の何れか一項に記載の包装箱。
【請求項７】
前記切欠きは曲線状に形成されていることを特徴とする請求項６に記載の包装箱。
【請求項８】
前記外フラップにおける掴み部は、外フラップのそれ以外の部分と比較して厚さが薄く形成されていることを特徴とする請求項１〜７の何れか一項に記載の包装箱。
【請求項９】
前記外フラップにおける掴み部とそれ以外の部分との境界領域には、所定の折曲げ線が形成されていることを特徴とする請求項１〜８の何れか一項に記載の包装箱。
【発明の詳細な説明】
【技術分野】
【０００１】
本発明は、包装箱に係り、特に、内部に飲料容器や食料品その他の物を収容して包装する包装箱に関する。
【背景技術】
【０００２】
従来から、例えば飲料容器等をまとめて収容する包装箱としては、ダンボール紙を用いたダンボールカートンが使用されていた。このダンボールカートンは、４つの側面のうち長さが短い側面（以下「短側面」という）が飲料容器の取り出し口となっていた。具体的には、短側面には長方形状の２枚の外フラップが上面部及び下面部の両側から対向するように延びると共に上面部と下面部とを連結する各長側面部からはそれぞれ内フラップが延びており、各外フラップの縁部同士が近接した状態で内フラップと接着される。これによって包装箱の開口部を閉じるものである。
【０００３】
しかしながら、上記従来例に係る包装箱には以下のような問題点があった。即ち、２枚の外フラップは上記したように長方形状に形成されている。このため、２枚の外フラップの隙間部分に開封者が手を差し入れて包装箱を開封しようとした場合に、外フラップの縁部に沿って手が滑ってしまい、手を傷つけてしまう場合があった。
【０００４】
このような問題点を解消するために、いくつかの発明が開示されている。１つ目の発明では、 (1)外フラップの縁部を波状縁とする、(2)外フラップの縁部に間隔をおいて円弧切込を設ける、などが提案されている。この発明は、開封の際に手が滑るのを抑制することで手を傷つけるのを防止している（特許文献１参照。）。
【０００５】
また、図１１に示す他の包装箱５１の発明は、外フラップ５７に４ｍｍ以上20ｍｍ以下の範囲の所定間隔で突起部５７ａを設けることを特徴とするものである。このような突起部５７ａを設ける理由も、外フラップ５７の縁部で手が滑るのを抑制し手を傷つけるのを防止するためである（特許文献２参照。）。
【０００６】
【特許文献１】特開２００２−３７０７２８号公報（特に、図１乃至図８）
【特許文献２】特開２００２−３２６６２４号公報（特に、図１及び図６）
【発明の開示】
【発明が解決しようとする課題】
【０００７】
しかしながら、上記各従来例には以下のような問題点があった。即ち、手が滑るのを抑制するために外フラップの縁部に突起部を設ける包装箱では、図１１に示すように手を各外フラップの間に差し入れ易いように山部と山部とが付き合わされたものとなっているが、両外フラップの境界領域に大きな隙間ができてしまう。このため、この隙間から包装箱の内部に異物が混入したり、虫が侵入してしまうというおそれがあった。このため本発明では、開口部が閉じられるようにして上記した問題点を解消すると共に、外フラップが掴み難くなるという欠点も掴み部を設けることによって回避できる包装箱を提供する。
【課題を解決するための手段】
【０００８】
上記した課題に鑑み、本発明は、少なくとも２枚のフラップの縁部が近接することによって開口部が閉じられる包装箱において、前記各フラップの縁部には凸部及び凹部が設けられ、一方のフラップの凸部に対応して他方のフラップの凹部が配置されていることを特徴とする包装箱である。
また本発明は、前記フラップの凸部及び凹部は、波形状の山部及び谷部によって形成されていることを特徴とする上記包装箱である。
【０００９】
また本発明は、前記フラップの縁部における波形状は、高さの異なる山部及び谷部の組み合わせからなることを特徴とする上記包装箱である。
また本発明は、前記フラップの凸部及び凹部は、円弧状に形成されていることを特徴とする上記包装箱である。
【００１０】
また本発明は、前記凸部は一方のフラップに形成されると共に、前記凹部は他方のフラップに形成されていることを特徴とする上記包装箱である。
また本発明は、前記一方のフラップにおける他方のフラップと対向する側の角部には、所定の掴み部が形成されていることを特徴とする上記包装箱である。
また本発明は、前記掴み部の両側には所定の切欠きが形成されていることを特徴とする上記包装箱である。
【００１１】
また本発明は、前記切欠きは曲線状に形成されていることを特徴とする上記包装箱である。
また本発明は、前記フラップにおける掴み部は、フラップのそれ以外の部分と比較して厚さが薄く形成されていることを特徴とする上記包装箱である。
更に本発明は、前記フラップにおける掴み部とそれ以外の部分との境界領域には、所定の折曲げ線が形成されていることを特徴とする上記包装箱である。
【発明の効果】
【００１２】
本発明により、包装箱内への異物の混入や虫などの侵入を防止できると共に、フラップの縁部で開封者が手を傷つけるのを防止することも可能である。
【発明を実施するための最良の形態】
【００１３】
本発明の一実施形態について図面に基づいて詳細に説明する。尚、説明の中で「上」或いは「下」と記載している部分は、説明の便宜上相対的な位置関係を示すためだけのものであり、これらの言葉が発明を特に限定する意図を持つものではない。
【００１４】
図１は、本実施形態に係る包装箱１の斜視図である。この図に示すように、包装箱１は概ね六面体形状をしており、上面部３と下面部５及び４つの側面部７，９，１１，１３とから構成されている。説明の便宜上、４つの側面部７，９，１１，１３のうち、長さが短い２つの側面部を短側面部７，９と、長い２つの側面部を長側面部１１，１３とそれぞれ定義する。
上面部３、下面部５及び２つの長側面部１１，１３は切れ目の無い１枚のダンボール紙から構成されている。一方、２つの短側面部７，９は、上面部３及び下面部５から延びるそれぞれ２枚の外フラップ７ａ、７ｂ及び９ａ，９ｂ（図３参照）により閉じられるようになっている（外フラップ９ａ，９ｂは、外フラップ７ａ，７ｂと同様であるので、以下の説明では省略する）。但し、実際には外フラップ７ａ，７ｂの内側に２枚の内フラップ１５が設けられ、外フラップ７ａ，７ｂはこれらの内フラップ１５と相互に接着されている。図１における各内フラップ１５は、その先端が外フラップ７ａ，７ｂの波形状の開始位置近傍までしか届いていないが、より長い内フラップを用いて波形状の部分と重なるような状態で包装箱１の開口部を閉じることで、より密封性を高めることが可能となる。ここで、上記した「開口部を閉じる」とは、各外フラップ７ａ，７ｂによってほぼ完全に密封される場合の他、異物の混入等を防止できる程度に概ね密封できる場合も含む意味である。
【００１５】
次に、本発明の特徴部分の１つである、各外フラップ７ａ，７ｂの縁部に形成された波形状の縁部について説明する。図２は、図１において二点鎖線で示した部分IIの拡大図である。この図に示すように、各外フラップ７ａ，７ｂの縁部は波形状に形成されており、上面部３から延びる外フラップ７ａの凸部（山部）８ａ１が、下面部５から延びる外フラップ７ｂの凹部（谷部）８ｂ１に対向するようにそれぞれ配置されている。そして、各外フラップ７ａ，７ｂの縁部の波形状とそのピッチは相互に略同一であり、各縁部が相互に近接するので、上面部３から延びる外フラップ７ａと下面部５から延びる外フラップ７ｂとの合わせ目には、ほとんど隙間が発生しない。これにより、従来問題となっていた包装箱への異物の混入や虫などの侵入を防止することができる。
【００１６】
上記のように、外フラップ７ａ，７ｂ同士の合わせ目に隙間が生じないことにより、外フラップ７ａ，７ｂと内フラップ１５との接着を剥がすことが困難になることも考えられる。このため、本実施形態ではこの点についても工夫している。すなわち、外フラップ７ａ，７ｂのそれぞれの角部には所定の掴み部１７が形成されている。この掴み部１７の両側には所定の切欠き１８が形成され、これら切欠き１８に挟まれた部分が実際に指で掴む部分となっている。掴み部１７は内フラップ１５とは接着されておらず、また両側に切欠き１８が形成されているので、小さな力でも容易に引き起こすことができるようになっている。尚、本実施形態では、各外フラップ７ａ，７ｂの角部の全てに掴み部（合計８箇所）が形成されているが（図３参照）、包装箱１の全体に１箇所だけ設けるようにしても良いし、特定の外フラップに２箇所設けるような応用例も考えられる。
【００１７】
図３は、本実施形態に係る包装箱１の展開図を示す。この図に示すように、組み立てられる前の包装箱１は、第１の長側面部１３、下面部５、第２の長側面部１１及び上面部３が順次連なった状態であり、各長側面部１１，１３の両側に内フラップ１５が連結され、上面部３及び下面部５の両側に外フラップ７ａ，７ｂ，９ａ，９ｂが連結されている。また、図の最上部の長側面部１３には糊代部１９が連結されており、組み立ての際にこの糊代部１９が上面部３と接着されるようになっている。また、図中の点線は六面体を形成するために折り曲げる位置を示しており、この部分を折り曲げ易くするために押潰し加工などをしてもよい。尚、本実施形態では１枚のダンボール紙から包装箱１を切り出しているが、本発明はこれに限定されるものではなく、各部材を別個に用意してそれぞれ連結して形成してもよい。
【００１８】
次に、本実施形態に係る包装箱１の開封工程について図１に基づいて説明する。先ず、開封者は外フラップ７ａ，７ｂの角部に形成された掴み部１７を掴んで引き起こす。一旦掴み部１７が引き起こされ、更に外フラップ７ａ，７ｂの掴み部を引くと、外フラップ７ａ，７ｂと内フラップ１５との接着が徐々に剥がれてゆく。その際、ある程度外フラップ７ａ，７ｂが浮き上がった段階で各外フラップ７ａ，７ｂの間に手を差し入れ、外フラップ７ａ，７ｂの縁部を掴んで外フラップ７ａ，７ｂを完全に開封することも可能である。このとき、外フラップ７ａ，７ｂの縁部には上記したように波形状が形成されており、手の滑りが防止されるので、外フラップ７ａ，７ｂの縁部で手を傷つけることも防止できる。
【００１９】
次に、本発明の第２の実施形態について説明する。図４は、本発明の特徴部分である外フラップの縁部に変形を加えた実施形態である。この図に示すように、各外フラップ３７ａ，３７ｂの縁部に形成された波形状の位置が相互にずれている。即ち、上面部から延びる外フラップ３７ａの凸部（山部）３８ａ１の位置と、下面部から延びる外フラップ３７ｂの凹部（谷部）３８ｂ１とが距離Ｄだけ横方向にずれている。このように、２つの波形状の凸部と凹部の位置が完全には一致せずに多少ずれている場合でも、凸部と凹部の位置がある程度対応して近傍に配置されていれば、包装箱への異物の混入や虫などの侵入を効果的に防止できる。
【００２０】
次に、本発明の第３の実施形態について図５に基づいて説明する。図５も図４と同様に、本発明の特徴部分である外フラップの縁部に変形を加えた実施形態である。この図に示すように、各外フラップ４７ａ，４７ｂの縁部に形成された波形状は、高さが異なる山部と谷部とが組み合わされている。具体的には、高さの高い凸部（凹部）４８ａ１（４８ｂ１）と高さの低い凸部（凹部）４８ａ２（４８ｂ２）とが交互に形成されている。このように、波形状の高さが異なる場合でも、両方の縁部が互いに同様の形状を有していれば、包装箱への異物の混入や虫などの侵入を効果的に防止できる。
【００２１】
次に、本発明の第４の実施形態について図６に基づいて説明する。図６も図４と同様に、本発明の特徴部分である外フラップの縁部に変形を加えた実施形態である。この図に示すように、各外フラップ５７ａ，５７ｂの縁部に円弧状（具体的には半円状）の凸部５８ａ１及び凹部５８ｂ１が形成されている。具体的には、上面部から延びる外フラップ５７ａの縁部には所定間隔で円弧状の凸部５８ａ１が形成され、これに対応するように下面部から延びる外フラップ５７ｂの縁部には円弧状の凹部５８ｂ１が形成されている。このように、円弧状の凸部５８ａ１及び凹部５８ｂ１の組み合わせであっても、包装箱への異物の混入や虫などの侵入を効果的に防止できる。
【００２２】
次に、図７に基づいて、掴み部の第１の変形例について説明する。図７は図３における円VIIで示す部分に対応する拡大図である。図１における切欠き１８は鋭角状に形成されているが、本変形例に係る切欠き１８ｂは曲線状に形成されている。このように、掴み部１７ｂの両側の切欠き１８ｂを曲線状に形成することで、掴み部１７ｂを引き起こす際に発生する応力が特定箇所に集中せず、ダンボール紙の破れを有効に防止することができる。
【００２３】
図８は、掴み部の第２の変形例を示す図である。この図に示すように、本変形例の掴み部１７ｄは、折曲げ易くするための折曲げ線１８ｄを境界線として押し潰されており、その厚みが他の部分と比較して薄くなっている。このような掴み部１７ｄの構造は、ダンボール紙などの材料から包装箱を切り出す際に加工される。掴み部１７ｄの厚さは、他の部分と比べて薄くなっていればよいので、特に限定されるものではないが、元の厚さの半分程度になっていれば指先を内フラップ１５との間に挿入し易い。また、掴み部１７ｄの大きさも特に限定されるものではない。また、折曲げ線１８ｄは必ずしも直線である必要は無く、曲線であってもよい。尚、本変形例では掴み部１７ｄと他の部分との境界線に折曲げ線１８ｄを形成しているが、本発明では折曲げ線を形成しなくてもよい。
【００２４】
図９は、掴み部の第３の変形例を示す図である。この変形例では、掴み部１７ｅには、他の部分との境界線の位置に第２の変形例と同様な折曲げ線１８ｅ２が形成されている。そして、この折曲げ線１８ｅ２の中点から外フラップの角部に向かってもう１本の折曲げ線１８ｅ１が形成されている。そして、折曲げ線１８ｅ１と折曲げ線１８ｅ２とは相互に略直角となっている。このように形成された掴み部１７ｅを開封者が掴む場合、先ず、折曲げ線１８ｅ２に沿って掴み部１７ｅを折り曲げる。次に、掴み部１７ｅを折曲げ線１８ｅ１に沿って谷折りする。これにより、厚みの為、摘みにくかった掴み部１７ｅが指先のふくらみにうまくフィットして、より力を入れて掴みながら内フラップ１５との接着を剥がすことができるようになる。
【００２５】
上記した第１〜第３の変形例において、図１０に示すように、掴み部１７ｃに目印１８ｃを印刷することで、最初に掴むべき場所を開封者に明確に示すこともできる。
【産業上の利用可能性】
【００２６】
飲料容器や食品などの商品を包装する包装箱に適用できる。
【図面の簡単な説明】
【００２７】
【図１】本発明の一実施形態に係る包装箱の斜視図である。
【図２】図１の部分IIに対応する拡大図である。
【図３】図１に開示した包装箱の展開図である。
【図４】本発明の第２の実施形態であって、図１の部分IIに対応する拡大図である。
【図５】本発明の第３の実施形態であって、図１の部分IIに対応する拡大図である。
【図６】本発明の第４の実施形態であって、図１の部分IIに対応する拡大図である。
【図７】図１に開示した掴み部の第１の変形例であって、図３の部分VIIに対応する拡大図である。
【図８】図１に開示した掴み部の第２の変形例であって、図３の部分VIIに対応する拡大図である。
【図９】図１に開示した掴み部の第３の変形例であって、図３の部分VIIに対応する拡大図である。
【図１０】図１に開示した掴み部の第４の変形例であって、図３の部分VIIに対応する拡大図である。
【図１１】従来の包装箱を示す斜視図である。
【符号の説明】
【００２８】
１  包装箱
７ａ，７ｂ  外フラップ
８ａ１  凸部
８ａ２  凹部
１７  掴み部
１８  切欠き
１８ｄ  折曲げ線
【図１】
0004740687.tif 000002
【図２】
0004740687.tif 000003
【図３】
0004740687.tif 000004
【図４】
0004740687.tif 000005
【図５】
0004740687.tif 000006
【図６】
0004740687.tif 000007
【図７】
0004740687.tif 000008
【図８】
0004740687.tif 000009
【図９】
0004740687.tif 000010
【図１０】
0004740687.tif 000011
【図１１】
0004740687.tif 000012